(57)【要約】【課題】手持ち式の電動工具において、取回しの良さが損なわれるのを抑えつつ、電圧を高く設定したり供給容量を大きく設定したりする要請に応じる。【解決手段】バッテリ装着部６０Ａａ，６０Ａｂは２つ設けられているので、充電式バッテリ８０ａ，８０ｂを２つ装着できるようになる。汎用される電圧が１８Ｖとなる充電式バッテリ８０ａ，８０ｂを２つ使って、供給される電力の電圧を３６Ｖとすることができる。２つのバッテリ装着部６０Ａａ，６０Ａｂは、グリップハウジング１２に対してモータ軸の軸線Ｘ１で対称となる位置にそれぞれ１つずつ配置されるので、充電式バッテリ８０ａ，８０ｂが装着されることによって増加する重量をバランスさせることができる。これら第１および第２のバッテリ装着部６０Ａａ，６０Ａｂは、グリップハウジング１２の下側連接部１６に対して設けられている。【選択図】図９
2014148020.tif 000002
【特許請求の範囲】
【請求項１】
充電式バッテリがスライドさせて装着されるバッテリ装着部と、該充電式バッテリから供給される電力によりモータ軸を回転駆動させる電動モータと、該モータ軸が延びる方向に沿って延びる外周形状によりハンドル部を形成するハウジングと、該モータ軸により駆動される先端工具保持部と、を有する電動工具であって、
前記バッテリ装着部は、前記ハウジングに対して、前記モータ軸が延びる軸線で対称となる位置にそれぞれ１つずつ配置されるように２つ設けられている、ことを特徴とする電動工具。
【請求項２】
充電式バッテリがスライドさせて装着されるバッテリ装着部と、該充電式バッテリから供給される電力によりモータ軸を回転駆動させる電動モータと、該モータ軸が延びる方向に沿って延びる外周形状によりハンドル部を形成するハウジングと、該モータ軸により駆動される先端工具保持部と、を有する電動工具であって、
前記バッテリ装着部は、前記ハウジングに対して、前記出力軸が突き出される突出し側と、該突出し側とは前記モータ軸を挟んで対称位置となる反対側とに、それぞれ１つずつ配置されるように２つ設けられている、ことを特徴とする電動工具。
【請求項３】
充電式バッテリがスライドさせて装着されるバッテリ装着部と、該充電式バッテリから供給される電力によりモータ軸を回転駆動させる電動モータと、該モータ軸が延びる方向に沿って延びる外周形状によりハンドル部を形成するハウジングと、該モータ軸により駆動される先端工具保持部と、を有する電動工具であって、
前記バッテリ装着部は、前記ハウジングに対して、前記出力軸が突き出される突出し側とは前記モータ軸を挟んで対称位置となる反対側に配置されるように設けられている、ことを特徴とする電動工具。
【請求項４】
充電式バッテリがスライドさせて装着されるバッテリ装着部と、該充電式バッテリから供給される電力によりモータ軸を回転駆動させる電動モータと、該モータ軸が延びる方向に沿って延びる外周形状によりハンドル部を形成するハウジングと、該モータ軸により駆動される先端工具保持部と、を有する電動工具であって、
前記ハウジングには、前記バッテリ装着部に装着された充電式バッテリからの電力供給を制御する電力コントローラと、前記電動モータの回転駆動に対して操作入力をする操作スイッチとが、設けられており、
前記ハウジングの後側から前側に向かって、前記バッテリ装着部、前記電力コントローラ、前記操作スイッチ、という順番で配置されている、ことを特徴とする電動工具。
【発明の詳細な説明】
【技術分野】
【０００１】
この発明は、ディスクグラインダに代表される、手で持って加工作業を行うための手持ち式の電動工具に関する。
【背景技術】
【０００２】
従来、手持ち式の電動工具としてディスクグラインダが知られている（例えば、特許文献１参照）。このディスクグラインダは、工具本体に駆動源としての電動モータが内装される。外装ハウジングには、作業者により把持されるグリップ部が形成される。この工具本体の前部にはギヤヘッドが組み付けられる。ギヤヘッドには、ベベルギヤ（傘歯車）等が内装されて構成される。このベベルギヤのスピンドルは、出力スピンドルとして構成される。この出力スピンドルの出力軸線（砥石の回転軸線）は、電動モータのモータ駆動軸の軸線と直交する関係にある。ベベルギヤのギヤヘッドから突き出された出力スピンドルには、先端工具としての円形の砥石が取り付けられる。この円形の砥石の周囲には、研削粉等の粉塵飛散の防止を図るためのカバーが設けられている。
一方、この種のディスクグラインダにあっては、供給電源として一般にバッテリパックと称される充電式バッテリが装着されている。この充電式バッテリは、専用の充電器にて充電されて工具本体に装着されるようになっている。このようなディスクグラインダにあっては、一般に工具本体の最後部に充電式バッテリが装着される。
【先行技術文献】
【特許文献】
【０００３】
【特許文献１】特開２０１２−２１３８２０号公報
【発明の概要】
【発明が解決しようとする課題】
【０００４】
他方、上記したディスクグラインダにあっては、充電式バッテリから供給される電力について、電圧を高く設定したいとの要請や、供給容量を大きく設定したいとの要請がある。このような要請に対し、汎用される充電式バッテリを２つ装着できるようにした構成等が創案される。しかしながら、このような要請に応じて、単純に工具本体に充電式バッテリを２つ装着しようとすると、ディスクグラインダの重量バランスが崩れてしまって工具使用の取回しの良さを損なわせてしまいかねない。
【０００５】
本発明は、このような事情に鑑みなされたものであって、本発明が解決しようとする課題は、手で持って加工作業を行うための手持ち式の電動工具において、電動工具としての取回しの良さが損なわれるのを抑えつつ、電動工具として利用するにあたって電圧を高く設定したり供給容量を大きく設定したりする要請に応じることにある。
【課題を解決するための手段】
【０００６】
上記した課題を解決するために、本発明に係る電動工具は次の手段をとる。
本発明の第１の発明は、充電式バッテリがスライドさせて装着されるバッテリ装着部と、該充電式バッテリから供給される電力によりモータ軸を回転駆動させる電動モータと、該モータ軸により駆動される先端工具保持部と、を有する電動工具であって、前記バッテリ装着部は、外装をなすハウジングに対して前記モータ軸の軸線で対称となる位置にそれぞれ１つずつ配置されるように２つ設けられている、ことを特徴とする。
この第１の発明によれば、バッテリ装着部は２つ設けられているので、充電式バッテリを２つ装着できるようになる。これによって、電動工具として利用するにあたって電圧を高く設定したり供給容量を大きく設定したりする要請に応じることができる。また、この第１の発明によれば、２つのバッテリ装着部は、外装をなすハウジングに対してモータ軸の軸線で対称となる位置にそれぞれ１つずつ配置されるので、充電式バッテリが装着されることによって増加する重量をバランスさせることができる。これによって、手で持って加工作業を行うにあたっての、電動工具としての取回しの良さが損なわれるのを抑えることができる。
【０００７】
本発明の第２の発明は、充電式バッテリがスライドさせて装着されるバッテリ装着部と、該充電式バッテリから供給される電力によりモータ軸を回転駆動させる電動モータと、該モータ軸により駆動される先端工具保持部と、を有する電動工具であって、前記バッテリ装着部は、前記電動モータを支持するモータハウジングに対して設けられている、ことを特徴とする。
本発明の第３の発明は、充電式バッテリがスライドさせて装着されるバッテリ装着部と、該充電式バッテリから供給される電力によりモータ軸を回転駆動させる電動モータと、該モータ軸により駆動される先端工具保持部と、を有する電動工具であって、前記バッテリ装着部は、前記充電式バッテリのスライド装着させる方向の軸線が互いに平行となるように、外装をなすハウジングに対して２つ設けられている、ことを特徴とする。
本発明の第４の発明は、充電式バッテリがスライドさせて装着されるバッテリ装着部と、該充電式バッテリから供給される電力によりモータ軸を回転駆動させる電動モータと、該モータ軸により駆動される先端工具保持部と、を有する電動工具であって、外装をなすハウジングには、ループ形状をなすことにより形成されるハンドル部が設けられており、前記バッテリ装着部は、前記ループ形状の一部に対して設けられている、ことを特徴とする。
【図面の簡単な説明】
【０００８】
【図１】ディスクグラインダを一部切欠いて外観の略全体を示す側面図である。
【図２】図１に示すディスクグラインダの半割り内部構造を示す内部構造図である。
【図３】図１に示すディスクグラインダを下側から視た平面図である。
【図４】図１に示すディスクグラインダを後側から視た平面図である。
【図５】バッテリ装着部にスライドさせて装着される充電式バッテリの斜視図である。
【図６】図３の（VI）部分となるバッテリ端子接続部を拡大して示す平面図である。
【図７】電動モータの回路構造を模式化して概念的に示す概念回路図である。
【図８】第２の実施の形態のディスクグラインダの外観全体を示す側面図である。
【図９】図８に示すディスクグラインダを下側から視た平面図である。
【図１０】図８に示すディスクグラインダを後側から視た平面図である。
【図１１】第３の実施の形態のディスクグラインダの外観全体を示す側面図である。
【図１２】図１１に示すディスクグラインダを下側から視た平面図である。
【図１３】図１１に示すディスクグラインダを後側から視た平面図である。
【図１４】第４の実施の形態のディスクグラインダの外観全体を示す側面図である。
【図１５】図１４に示すディスクグラインダを下側から視た平面図である。
【図１６】図１４に示すディスクグラインダを後側から視た平面図である。
【図１７】第５の実施の形態のディスクグラインダの外観全体を示す側面図である。
【図１８】図１７に示すディスクグラインダを上側から視た平面図である。
【図１９】図１７に示すディスクグラインダを後側から視た平面図である。
【発明を実施するための形態】
【０００９】
［第１の実施の形態］
次に、本発明に係る第１の実施の形態を図１〜図７を参照しながら説明する。図１に示す符号１０は、本発明に係る電動工具に相当するディスクグラインダである。また、図２の内部構造図では、図１に示すディスクグラインダ１０の半割り内部構造を示している。図３の平面図では、図１に示すディスクグラインダを下側から視ている。図４の平面図では、図１に示すディスクグラインダを後側から視ている。図５に示す斜視図では、バッテリ装着部にスライドさせて装着される充電式バッテリ８０を示している。図６の平面図では、図３の（VI）部分となるバッテリ端子接続部を拡大して示している。図７に示す概念回路図では、電動モータの回路構造を模式化して概念的に示している。なお、以下の説明では、図中に記載される方向を用いてディスクグラインダ１０を説明する。
このディスクグラインダ１０は、ユーザが手で持って加工作業を行うための手持ち式の電動工具であり、供給電力の電圧が３６Ｖに設定されるハイパワータイプのディスクグラインダである。このディスクグラインダ１０は、電源としての充電式バッテリ８０がスライドさせて装着されて駆動するようになっている。また、このディスクグラインダ１０は、作業者が現場で両手を使って使用する、いわゆるツーハンドルタイプのディスクグラインダである。すなわち、このディスクグラインダ１０は、２つのハンドルとして、グリップハウジング１２の一部として設けられるハンドル部１３と、ギヤヘッド５１（ヘッドハウジング５２）の取付用雌螺子部５２１に取り付けられるヘッド側グリップ１９と、を有する。グリップハウジング１２は、２つ割りにされた左グリップハウジング１２Ａと右グリップハウジング１２Ｂとを合体させることによりハウジングをなす。
このディスクグラインダ１０は、概略、ハウジング１１と、電動モータ３２と、ギヤ機構５３とを備える。
ハウジング１１は、後側から順に、グリップハウジング１２と、モータハウジング３１とを備える。これらグリップハウジング１２とモータハウジング３１とは互いに連結され、ディスクグラインダ１０の外装の一部をなす。また、このように連結されたグリップハウジング１２とモータハウジング３１との前端には、ギヤハウジングカバー４７を介して、ギヤヘッド５１が取り付けられる。グリップハウジング１２は、樹脂製の半割り成形部品として形成されている。操作スイッチ２０と、駆動コントローラ１７と、電力コントローラ１８と、バッテリ装着部６０（６０ａ，６０ｂ）とは、グリップハウジング１２をなす半割り成形部品に左右から挟み込まれて、グリップハウジング１２の内部に収容されている。このグリップハウジング１２をなす左右の半割り成形部品は、螺子ボス６９によって互いに固定されている。このグリップハウジング１２は、図示するようにループ形状をなして形成されている。すなわち、このグリップハウジング１２には、このループ形状をなすことにより形成されるハンドル部１３が設けられている。
具体的には、図１〜図３に示すように、グリップハウジング１２は前後に延びる輪状（ループ形状）をなしている。このグリップハウジング１２の上部は、ハンドル部１３として形成されている。このハンドル部１３の外周面には、適宜のエラストマが取り付けられている。このエラストマは、ハンドル部１３を手握りした際の滑り止め等の機能を確保する。このハンドル部１３の後側には、下側に突き出される後側連接部１４が形成されている。また、ハンドル部１３の前側にも、下側に突き出される前側連接部１５が形成されている。これら後側連接部１４の下部と前側連接部１５の下部とは、下側連接部１６として連接されている。この下側連接部１６は、ループ形状をなすグリップハウジング１２の下部をなす。この下側連接部１６は、アーチ形状をなして形成されている。この下側連接部１６には、後に詳述する２つのバッテリ装着部６０（６０ａ，６０ｂ）が設けられる。
【００１０】
グリップハウジング１２の前側部分には、駆動コントローラ１７が設けられている。この駆動コントローラ１７は、シャント抵抗やＦＥＴ(field-effect transistor)回路（駆動コントローラ１７の一部）等の各種の電材部品を装備して構成される。この駆動コントローラ１７は、電動モータ３２のブラシに電気的に接続されており、このディスクグラインダ１０の主たる制御を行う基板である。また、下側連接部１６には、電力コントローラ１８が設けられている。この電力コントローラ１８は、バッテリ装着部６０（６０ａ，６０ｂ）に装着される充電式バッテリ８０（８０ａ，８０ｂ）から供給される電力の電圧等の制御を行う基板である。
上記したハンドル部１３には、操作スイッチ２０が設けられている。この操作スイッチ２０は、スイッチ本体２１と、操作ボタン部２２とを備える。スイッチ本体２１は、グリップハウジング１２に内装されグリップハウジング１２に支持されている。このスイッチ本体２１は、広く利用される接点スイッチにて構成される。操作ボタン部２２は、上下方向に移動可能にグリップハウジング１２に支持されている。操作ボタン部２２のハンドル部１３の握り方向に沿った押込み操作によりスイッチ本体２１の接点をオンとする。接点がオンとされたスイッチ本体２１は、スイッチオンとする旨の信号を駆動コントローラ１７に入力する。なお、操作ボタン部２２が押込み操作されていない場合には、不図示の付勢ばねにより押込みが解除され、接点がオフとされたスイッチオフとする状態となる。
また、ハンドル部１３の前側であり、ハンドル部１３の上部には、変速ダイアル２３が設けられている。この変速ダイアル２３は、ダイアル回しすることにより電動モータの回転速度を設定することができる。この変速ダイアル２３は、操作された回転速度とする旨の信号を駆動コントローラ１７に入力する。なお、このグリップハウジング１２の前端部分には、次に説明する電動モータ３２のモータ軸３３を支持する後側ベアリング４１が設けられている。後側ベアリング４１はグリップハウジング１２にて支持されている。
【００１１】
グリップハウジング１２の前側にはモータハウジング３１が連結されている。このモータハウジング３１は、樹脂製の成形部品として形成されている。このモータハウジング３１は、このモータハウジング３１の内部に配設される電動モータ３２を支持する。電動モータ３２は、供給電力によりモータ軸３３を回転駆動させる。この電動モータ３２は、所謂ブラシモータで構成され、ステータ３４と、ロータ３５と、コンミテータ３６とを備える。ステータ３４は、モータハウジング３１にて支持される永久磁石となっている。ロータ３５は、コイルが巻回されることにより形成される。このロータ３５の回転軸としてモータ軸３３が設定されている。このモータ軸３３は、後端側の後側ベアリング４１と前端側の前側ベアリング４２とにより、回転可能に支持されている。モータ軸３３のうちロータ３５の前側には、冷却ファン３８が取り付けられている。この前側ベアリング４２は、ギヤハウジングカバー４７に支持されている。また、このモータ軸３３の前端には、このモータ軸３３を回転軸とするピニオンギヤ４５が設けられている。このピニオンギヤ４５は、次に説明するギヤ機構５３のベベルギヤ５４と噛合する先細ったベベルギヤとしての形状を有して形成されている。また、図示符号Ｘ１にて示す仮想線は、モータ軸３３の回転軸線を示している。
このモータハウジング３１の前側には、ギヤヘッド５１が連結されている。ギヤヘッド５１は、ヘッドハウジング５２とギヤ機構５３とを備える。ヘッドハウジング５２は、アルミ鋳物製となっている。ヘッドハウジング５２には、モータ軸３３の回転駆動の駆動態様を変換するギヤ機構５３が内装されている。このギヤ機構５３は、ベベルギヤ５４を備える。このベベルギヤ５４は、上記したモータ軸３３の前端に取り付けられたピニオンギヤ４５と噛合する。このベベルギヤ５４は、このベベルギヤ５４の回転軸となる出力軸５５に設けられている。出力軸５５は、上側ベアリング５７と下側ベアリング５８とにより回転可能に支持されている。また、これら上側ベアリング５７と下側ベアリング５８とはヘッドハウジング５２に支持されている。出力軸５５の下端は、砥石等の先端工具Ｂを取付可能とする取付部５６として構成される。すなわち、取付部５６が本発明に係る先端工具保持部に相当する。なお、図示符号５９は、出力軸を回りを規制するギヤストッパである。また、図示符号Ｘ２にて示す仮想線は、出力軸５５の回転軸線を示している。なお、ヘッドハウジング５２の左右の両側面には、ヘッド側グリップ１９を取り付けるための取付用雌螺子部５２１が設けられている。この取付用雌螺子部５２１には、ヘッド側グリップ１９に設けられる不図示の取付用雄螺子部を螺子込むことができる。これによって、ギヤヘッド５１にヘッド側グリップ１９を取り付けることができる。
【００１２】
次に、上記したグリップハウジング１２の下側連接部１６に設けられる２つのバッテリ装着部６０（６０ａ，６０ｂ）について説明する。すなわち、グリップハウジング１２の下側連接部１６には、２つのバッテリ装着部６０ａ，６０ｂが設けられている。つまり、２つのバッテリ装着部６０ａ，６０ｂは、ハンドル部１３が設けられるグリップハウジング１２のループ形状の一部に対して設けられている。また、このループ形状の一部は、グリップハウジング１２の下側連接部１６に設定されている。
このバッテリ装着部６０ａ，６０ｂのそれぞれには、スライドさせることにより装着される充電式バッテリ８０ａ，８０ｂが取り付けられる。この充電式バッテリ８０ａ，８０ｂは、図５に示すように、広く汎用される供給電力の電圧が１８Ｖに設定される充電式バッテリ８０である。この充電式バッテリ８０は、スライドさせることによってバッテリ装着部６０に装着されるいわゆるスライド式装着型の充電式バッテリとなっている。このため、この充電式バッテリ８０の図示上面（接続端子配置面）側には、スライド装着させるための構造および電気的接続がなされる構造が設けられている。すなわち、図５に示すように、充電式バッテリ８０の図示上面側には、スライド装着させるための構造として、対をなすスライドガイド部８１，８２が設けられている。また、この充電式バッテリ８０の図示上面側には、電気的接続がなされる構造として、正極側端子８３と負極側端子８４と信号側端子８５とが設けられている。また、この充電式バッテリ８０の図示上面側には、充電式バッテリ８０をスライド装着させて電気的接続がなされた際に、この状態にて充電式バッテリ８０をバッテリ装着部６０に対して係合させた状態とする雄フック８７が設けられている。また、この充電式バッテリ８０の取り外し方向側には、上記した雄フック８７を操作するための押しボタン８８が設けられている（図４等参照）。この押しボタン８８は雄フック８７と連結している。この押しボタン８８を押し操作することで、雄フック８７が動作して充電式バッテリ８０の内部に収納される。これにより、充電式バッテリ８０がバッテリ装着部６０に対して係合しない状態となり、充電式バッテリ８０をバッテリ装着部６０から取り外せるようになる。なお、図５に記載される符号Ｌは、この充電式バッテリ８０の長手方向の長さを示している。また、図５に記載される符号Ｗは、この充電式バッテリ８０の幅方向の長さを示している。また、図５に記載される符号Ｈは、この充電式バッテリ８０の高さ方向の長さを示している。つまり、この充電式バッテリ８０の外形寸法は、長手方向の長さＬ＞幅方向の長さＷ＞高さ方向の長さＨ、という大小関係にある略直方体形状を有して形成されている。
【００１３】
次に、上記した充電式バッテリ８０をスライドさせて装着させるバッテリ装着部６０について説明する。図３および図６に示すように、このバッテリ装着部６０は、上記した充電式バッテリ８０をスライドさせて装着される構造を有する。このため、上記した充電式バッテリ８０に対応する装着構造を有して構成される。すなわち、バッテリ装着部６０は、図３および図６に示すように、上記した充電式バッテリ８０をスライド装着させるための構造、および上記した充電式バッテリ８０を電気的接続をする構造が設けられている。図３に示すように、このバッテリ装着部６０には、スライド装着させるための構造として、対をなすスライドガイド受部６１，６２が設けられている。また、図６に示すように、このバッテリ装着部６０には、電気的接続がなされる構造として、正極側端子６３と負極側端子６４と信号側端子６５とを備えるバッテリ端子接続部６００が設けられている。また、図３に示すように、このバッテリ装着部６０には、充電式バッテリ８０をスライド装着させて電気的接続がなされた際に、この状態の充電式バッテリ８０がバッテリ装着部６０にロックされる。つまり、バッテリ装着部６０には、この状態の充電式バッテリ８０の雄フック８７が係合する雌部（凹み）６６が設けられている。
ところで、図３の符号Ｘ３にて示す仮想線は、第１バッテリ装着部６０ａに対して充電式バッテリ８０ａがスライド装着される軸線を示している。また、図３の符号Ｘ４にて示す仮想線は、第２バッテリ装着部６０ｂに対して充電式バッテリ８０ｂがスライド装着される軸線を示している。なお、これら第１および第２のバッテリ装着部６０ａ，６０ｂは、上記したバッテリ装着部６０の構造にて構成されている。これら軸線Ｘ３と軸線Ｘ４とは、互いに平行となるように設定されている。つまり、第１の実施の形態のバッテリ装着部６０ａ，６０ｂは、２つの充電式バッテリ８０ａ，８０ｂが並列にスライドさせて装着できるように、グリップハウジング１２の下側連接部１６に対して設けられている。
【００１４】
具体的には、第１バッテリ装着部６０ａと第２バッテリ装着部６０ｂとは、下側連接部１６に対して前後にずらされた並列配置関係で設けられている。これら第１および第２のバッテリ装着部６０ａ，６０ｂに対しての充電式バッテリ８０ａ，８０ｂのスライド装着方向は、両方とも右から左に向けてスライドさせることにより取り付けられるように設定されている。つまり、これら第１および第２のバッテリ装着部６０ａ，６０ｂに対しての充電式バッテリ８０ａ，８０ｂのスライド装着は、互いに同一の平行となる方向に設定されている。
このように第１および第２のバッテリ装着部６０ａ，６０ｂに装着された充電式バッテリ８０ａ，８０ｂは、コントローラ１７，１８により制御される。すなわち、ディスクグラインダ１０の電動モータ３２の回転駆動は、図７に示す概念回路図のように駆動コントローラ１７および電力コントローラ１８により制御されている。すなわち、駆動コントローラ１７および電力コントローラ１８は、操作スイッチ２０およびシャント抵抗１７１（駆動コントローラ１７の一部）からの入力信号を受けて、ＦＥＴ回路１７２（駆動コントローラ１７の一部）に出力信号を送る。これにより、駆動コントローラ１７および電力コントローラ１８は、電動モータ３２の回転駆動を制御している。この際、第１および第２のバッテリ装着部６０ａ，６０ｂに装着される充電式バッテリ８０ａ，８０ｂは、直列方向の接続となるように回路設計されている。このため、充電式バッテリ８０ａ，８０ｂから供給される電力は、第１および第２のバッテリ装着部６０ａ，６０ｂを介して電圧が『１８Ｖ＋１８Ｖ＝３６Ｖ』となるように設定されている。
【００１５】
この第１の実施の形態のディスクグラインダ１０によれば、次の作用効果を奏することができる。すなわち、このディスクグラインダ１０によれば、バッテリ装着部６０（６０ａ，６０ｂ）は２つ設けられているので、充電式バッテリ８０（８０ａ，８０ｂ）を２つ装着できるようになる。これによって、ディスクグラインダ１０として利用するにあたって電圧を高く設定したり供給容量を大きく設定したりする要請に応じることができる。つまり、汎用される電圧が１８Ｖとなる充電式バッテリ８０を２つ使って、供給される電力の電圧を３６Ｖとすることができる。したがって、広く汎用される充電式バッテリ８０を用いながらも、高電圧が求められるハイパワー型のディスクグラインダ１０として機能させることができる。また、この第１の実施の形態のディスクグラインダ１０によれば、第１および第２のバッテリ装着部６０ａ，６０ｂは、ループ形状をなすことによりハンドル部１３を形成するグリップハウジング１２の下側連接部１６に対して設けられている。これによって、第１および第２のバッテリ装着部６０ａ，６０ｂに装着される充電式バッテリ８０ａ，８０ｂの重量が、この装着位置上側に設けられるハンドル部１３に対してかかることとなる。したがって、ディスクグラインダ１０を手で持って加工作業を行うにあたって、先端工具Ｂに荷重をかけたい加工作業を行う場合には、工具本体の最後部に充電式バッテリが装着される従来のディスクグラインダと比較して取り回し易くなっている。また、バッテリ装着部６０ａ，６０ｂは、充電式バッテリ８０ａ，８０ｂのスライド装着させる方向の軸線Ｘ３，Ｘ４が互いに平行となるように設定されている。これによって、並べられた充電式バッテリ８０ａ，８０ｂの並び方向の長さは、この充電式バッテリ８０の幅方向の長さＷを２つ合わせた長さとすることができる。つまり、この充電式バッテリ８０の外形寸法の中でも短手方向となる長さを合わせることとなる。これによって、２つ並列された充電式バッテリ８０ａ，８０ｂの嵩張りも抑えることができて、ディスクグラインダ１０を手で持って加工作業を行うにあたって取回しの良さが損なわれるのを抑えることができる。
【００１６】
なお、この第１の実施の形態にあっては、第１および第２のバッテリ装着部６０ａ，６０ｂに対して充電式バッテリ８０ａ，８０ｂを取り付けるためのスライド装着方向は、互いに同一となる右から左に設定されるものであった。しかしながら、この第１および第２のバッテリ装着部６０ａ，６０ｂにあっては、スライド装着される軸線Ｘ３，Ｘ４が互いに平行となるように設定されていればよいものであり、この取り付け方向は適宜に組み合わせるようにしてもよい。つまり、第１および第２のバッテリ装着部６０ａ，６０ｂに対しての充電式バッテリ８０ａ，８０ｂの取り付け方向は、互いに同一となる左から右に設定されるものであってもよい。また、第１バッテリ装着部６０ａに対しての充電式バッテリ８０ａの取り付け方向が左から右に設定され、かつ第２バッテリ装着部６０ｂに対しての充電式バッテリ８０ｂの取り付け方向が右から左に設定されるものであってもよい。また逆に、第１バッテリ装着部６０ａに対しての充電式バッテリ８０ａの取り付け方向が右から左に設定され、かつ第２バッテリ装着部６０ｂに対しての充電式バッテリ８０ｂの取り付け方向が左から右に設定されるものであってもよい。
【００１７】
［第２の実施の形態］
次に、上記した第１の実施の形態の変形例となる第２および第３の実施の形態について図８〜図１３を参照しながら説明する。なお、これら第２および第３の実施の形態にあっては、上記した第１の実施の形態のディスクグラインダ１０のうちバッテリ装着部６０の配設構成のみが相違するものとなっている。このため、上記した第１の実施の形態と略同様に構成される箇所については、上記した第１の実施の形態にて付した符号と同一の符号を図面に付し、その説明については省略するものとする。
まず、第２の実施の形態のディスクグラインダ１０Ａについて説明する。図８の側面図では、第２の実施の形態のディスクグラインダ１０Ａの外観全体を示している。図９の平面図では、図８に示すディスクグラインダ１０Ａを下側から視ている。図１０の平面図では、図８に示すディスクグラインダ１０Ａを後側から視ている。
図８〜図１０に示すように、第２の実施の形態のバッテリ装着部６０Ａにあっても、上記した第１の実施の形態のバッテリ装着部６０と同様に、グリップハウジング１２の下側連接部１６に配設されている。具体的には、第１バッテリ装着部６０Ａａと第２バッテリ装着部６０Ａｂとは、下側連接部１６に対して左右にずらされた並列配置関係で設けられている。これら第１および第２のバッテリ装着部６０Ａａ，６０Ａｂに対しての充電式バッテリ８０ａ，８０ｂのスライド装着方向は、両方とも後から前に向けてスライドさせることにより取り付けられるように設定されている。つまり、これら第１および第２のバッテリ装着部６０Ａａ，６０Ａｂに対しての充電式バッテリ８０ａ，８０ｂのスライド装着は、互いに同一の平行となる方向に設定されている。なお、これら第１および第２のバッテリ装着部６０Ａａ，６０Ａｂは、グリップハウジング１２に対してモータ軸３３の延在方向を中心にした軸線Ｘ１に対して、互いに左右対称位置にそれぞれ１つずつ配置されるように設けられている。なお、図示符号１８Ａは、電力コントローラである。
【００１８】
この第２の実施の形態のディスクグラインダ１０Ａによれば、上記した第１の実施の形態のディスクグラインダ１０と略同様の作用効果を奏することができる。すなわち、このディスクグラインダ１０Ａによっても、バッテリ装着部６０Ａ（６０Ａａ，６０Ａｂ）は２つ設けられているので、充電式バッテリ８０（８０ａ，８０ｂ）を２つ装着できるようになる。これによって、ディスクグラインダ１０Ａとして利用するにあたって電圧を高く設定したり供給容量を大きく設定したりする要請に応じることができる。つまり、汎用される電圧が１８Ｖとなる充電式バッテリ８０を２つ使って、供給される電力の電圧を３６Ｖとすることができる。したがって、広く汎用される充電式バッテリ８０を用いながらも、高電圧が求められるハイパワー型のディスクグラインダ１０Ａとして機能させることができる。さらに、この第２の実施の形態のディスクグラインダ１０Ａによれば、２つのバッテリ装着部６０Ａａ，６０Ａｂは、グリップハウジング１２に対して不図示のモータ軸の軸線Ｘ１で対称となる位置にそれぞれ１つずつ配置されるので、充電式バッテリ８０ａ，８０ｂが装着されることによって増加する重量をバランスさせることができる。これによって、手で持って加工作業を行うにあたっての、ディスクグラインダ１０Ａとしての取回しの良さが損なわれるのを抑えることができる。
【００１９】
また、この第２の実施の形態のディスクグラインダ１０Ａによっても、第１および第２のバッテリ装着部６０Ａａ，６０Ａｂは、グリップハウジング１２の下側連接部１６に対して設けられている。これによって、第１および第２のバッテリ装着部６０Ａａ，６０Ａｂに装着される充電式バッテリ８０ａ，８０ｂの重量が、この装着位置上側に設けられるハンドル部１３に対してかかることとなる。したがって、ディスクグラインダ１０Ａを手で持って加工作業を行うにあたって、充電式バッテリ８０ａ，８０ｂの重量をハンドル部１３に直接的に掛けることができて、取回しの良さが損なわれるのを抑えることができる。また、バッテリ装着部６０Ａａ，６０Ａｂは、充電式バッテリ８０ａ，８０ｂのスライド装着させる方向の軸線Ｘ３，Ｘ４が互いに平行となるように設定されている。これによって、並べられた充電式バッテリ８０ａ，８０ｂの並び方向の長さは、この充電式バッテリ８０の幅方向の長さＷを２つ合わせた長さとすることができる。つまり、この充電式バッテリ８０の外形寸法の中でも短手方向となる長さを合わせることとなる。これによって、２つ並列された充電式バッテリ８０ａ，８０ｂの嵩張りも抑えることができて、ディスクグラインダ１０を手で持って加工作業を行うにあたって取回しの良さが損なわれるのを抑えることができる。なお、この第２の実施の形態のディスクグラインダ１０Ａによれば、第１の実施の形態のディスクグラインダ１０と比較すると、バッテリ装着部６０Ａａ，６０Ａｂの配設位置が僅かに後側に配置されている。このため、先端工具Ｂに荷重をかけたい加工作業を行う場合には、第１の実施の形態のディスクグラインダ１０の方が好ましいこととなる。逆に言えば、先端工具Ｂに余り荷重をかけたくない加工作業を行う場合には、第２の実施の形態のディスクグラインダ１０Ａの方が好ましいこととなる。
なお、この第２の実施の形態にあっても、第１および第２のバッテリ装着部６０Ａａ，６０Ａｂに対して充電式バッテリ８０ａ，８０ｂを取り付けるためのスライド装着方向としては、図示されている方向とは逆方向の構成としてもよく、互いに同一となる方向あるいは互いに逆になる方向の、いずれの方向の組合せで設定されるものであってもよい。
【００２０】
［第３の実施の形態］
次に、第３の実施の形態のディスクグラインダ１０Ｂについて説明する。図１１の側面図では、第３の実施の形態のディスクグラインダ１０Ｂの外観全体を示している。図１２の平面図では、図１１に示すディスクグラインダ１０Ｂを下側から視ている。図１３の平面図では、図１１に示すディスクグラインダ１０Ｂを後側から視ている。
図１１〜図１３に示すように、第３の実施の形態のバッテリ装着部６０Ｂにあっても、上記した第１の実施の形態のバッテリ装着部６０と同様に、グリップハウジング１２の下側連接部１６に配設されている。具体的には、第１バッテリ装着部６０Ｂａと第２バッテリ装着部６０Ｂｂとは、下側連接部１６に対して左右にずらされた並列配置関係で設けられている。ただ、これら第１バッテリ装着部６０Ｂａと第２バッテリ装着部６０Ｂｂとは、充電式バッテリ８０ａ，８０ｂの接続端子配置面同士を互いに向き合わせるように設けられている。詳しく言えば、第１バッテリ装着部６０Ｂａと第２バッテリ装着部６０Ｂｂとは、不図示のモータ軸の延在方向を中心にした軸線Ｘ１に対して、互いに左右対称位置にそれぞれ１つずつ配置されるように設けられている。つまり、これら第１バッテリ装着部６０Ｂａと第２バッテリ装着部６０Ｂｂとは、充電式バッテリ８０ａ，８０ｂの接続端子配置面同士で、グリップハウジング１２の下側連接部１６を挟み込むように設けられている。これら第１および第２のバッテリ装着部６０Ｂａ，６０Ｂｂは、互いに反対側となる両側面に面して設けられる。このため、これら第１および第２のバッテリ装着部６０Ｂａ，６０Ｂｂ装着された充電式バッテリ８０ａ，８０ｂは横置きにされている。また、これら第１バッテリ装着部６０Ｂａと第２バッテリ装着部６０Ｂｂとの間には、介在連接部位６７Ｂが設定されている。この介在連接部位６７Ｂには、電力コントローラ１８Ｂが内装されている。また、これら第１および第２のバッテリ装着部６０Ｂａ，６０Ｂｂに対しての充電式バッテリ８０ａ，８０ｂのスライド装着方向は、両方とも後から前に向けてスライドさせることにより取り付けられるように設定されている。
【００２１】
この第３の実施の形態のディスクグラインダ１０Ｂによれば、上記した第２の実施の形態のディスクグラインダ１０Ａと略同一の作用効果を奏することができる。なお、この第３の実施の形態のディスクグラインダ１０Ｂでは、並べられた充電式バッテリ８０ａ，８０ｂの並び方向の長さは、この充電式バッテリ８０の高さ方向の長さＨを２つ合わせた長さとすることができる。つまり、この充電式バッテリ８０の外形寸法の中でも最も短手方向となる長さを合わせることとなる。これによって、２つ並列された充電式バッテリ８０ａ，８０ｂの嵩張りも抑えることができる。なお、この第３の実施の形態のディスクグラインダ１０Ｂによれば、第１バッテリ装着部６０Ｂａと第２バッテリ装着部６０Ｂｂとの間に介在連接部位６７Ｂが設定され、この介在連接部位６７Ｂには電力コントローラ１８Ｂが内装されているので、このディスクグラインダ１０Ｂ全体の大きさを抑えることができる。なお、この第３の実施の形態のディスクグラインダ１０Ｂによれば、第２の実施の形態のディスクグラインダ１０Ａと比較すると、バッテリ装着部６０Ｂａ，６０Ｂｂの配設位置が僅かに前側に配置されているため、先端工具Ｂに荷重をかけたい加工作業を行う場合には、第２の実施の形態のディスクグラインダ１０Ａよりも好ましいこととなる。
なお、この第３の実施の形態にあっても、第１および第２のバッテリ装着部６０Ｂａ，６０Ｂｂに対して充電式バッテリ８０ａ，８０ｂを取り付けるためのスライド装着方向としては、図示されている方向とは逆方向の構成としてもよく、互いに同一となる方向あるいは互いに逆になる方向の、いずれの方向の組合せで設定されるものであってもよい。
【００２２】
［第４の実施の形態］
次に、第４の実施の形態のディスクグラインダ１０Ｃについて説明する。図１４の側面図では、第４の実施の形態のディスクグラインダ１０Ｃの外観全体を示している。図１５の平面図では、図１４に示すディスクグラインダ１０Ｃを下側から視ている。図１６の平面図では、図１４に示すディスクグラインダ１０Ｃを後側から視ている。ところで、この第４の実施の形態のバッテリ装着部６０Ｃが配設される箇所は、上記した第１〜第３の実施の形態のバッテリ装着部６０，６０Ａ，６０Ｂの配設される箇所と相違する。このため、以下の説明においては、これまで説明したディスクグラインダ１０，１０Ａ，１０Ｂの構成と相違する箇所についてのみを重点的に説明する。このため、上記した実施の形態と略同様に構成される箇所については、上記した実施の形態にて付した符号と同一の符号を図面に付し、その説明については省略するものとする。
すなわち、上記した第１〜第３の実施の形態のバッテリ装着部６０，６０Ａ，６０Ｂにあっては、グリップハウジング１２の下側連接部１６に配設されるものとなっていた。しかしながら、この第４の実施の形態のバッテリ装着部６０Ｃは、図１４〜図１６に示すように電動モータ３２を支持するモータハウジング３１に対して設けられている。具体的には、バッテリ装着部６０Ｃは、図１５および図１６に示すように、モータハウジング３１の外周面に設けられた介在連接部位６７Ｃに対して配設されている。これに応じて、この第４の実施の形態のディスクグラインダ１０Ｃにあっては、上記したグリップハウジング１２から下側連接部１６が削除されたグリップハウジング１２Ｃの構成となっている。
第１バッテリ装着部６０Ｃａと第２バッテリ装着部６０Ｃｂとは、モータハウジング３１に対して左右にずらされた並列配置関係で設けられている。ただ、これら第１バッテリ装着部６０Ｃａと第２バッテリ装着部６０Ｃｂとは、充電式バッテリ８０ａ，８０ｂの接続端子配置面同士を互いに向き合わせるように介在連接部位６７Ｃに設けられている。詳しく言えば、第１バッテリ装着部６０Ｃａと第２バッテリ装着部６０Ｃｂとは、不図示のモータ軸の延在方向を中心にした軸線Ｘ１に対して、互いに左右対称位置にそれぞれ１つずつ配置されるように設けられている。つまり、これら第１バッテリ装着部６０Ｃａと第２バッテリ装着部６０Ｃｂとは、充電式バッテリ８０ａ，８０ｂの接続端子配置面同士で、モータハウジング３１を挟み込むように設けられている。このため、これら第１および第２のバッテリ装着部６０Ｃａ，６０Ｃｂに対して充電式バッテリ８０ａ，８０ｂを装着する場合には、この充電式バッテリ８０ａ，８０ｂ同士が互いに向き合うように逆立ち置きにされている。また、介在連接部位６７Ｃには、電力コントローラ１８Ｃが内装されている。また、これら第１および第２のバッテリ装着部６０Ｃａ，６０Ｃｂに対しての充電式バッテリ８０ａ，８０ｂのスライド装着方向は、両方とも上から下に向けてスライドさせることにより取り付けられるように設定されている。
【００２３】
この第４の実施の形態のディスクグラインダ１０Ｃによれば、上記した第３の実施の形態のディスクグラインダ１０Ｂと同様の作用効果を奏することができる上、さらに次のような作用効果を奏することができる。すなわち、この第４の実施の形態のディスクグラインダ１０Ｃによれば、第１および第２のバッテリ装着部６０Ｃａ，６０Ｃｂが、モータハウジング３１に隣接して設けている。これによって、充電式バッテリ８０ａ，８０ｂを装着した際のディスクグラインダ１０Ｃの重量バランスは、第１〜第３の実施の形態のディスクグラインダ１０，１０Ａ，１０Ｂと比較して前側に荷重がかけられたものとなる。したがって、このディスクグラインダ１０Ｃによれば、先端工具Ｂに荷重をかけたい加工作業を行う場合に特に有利に加工作業を行うことができる。また、第１および第２のバッテリ装着部６０Ｃａ，６０Ｃｂに装着される充電式バッテリ８０ａ，８０ｂは、重量が重い電動モータ３２に近接配置される。これによって、重量がかかる位置を纏めた位置にすることができて操作性に優れることとなる。加えて、上記した第３の実施の形態のディスクグラインダ１０Ｂと同様に、この第４の実施の形態のディスクグラインダ１０Ｃでは、並べられた充電式バッテリ８０ａ，８０ｂの並び方向の長さは、この充電式バッテリ８０の高さ方向の長さＨを２つ合わせた長さとすることができる。つまり、この充電式バッテリ８０の外形寸法の中でも最も短手方向となる長さを合わせることとなる。これによって、２つ並列された充電式バッテリ８０ａ，８０ｂの嵩張りも抑えることができる。また、この介在連接部位６７Ｃには電力コントローラ１８Ｃが配置されているので、このディスクグラインダ１０Ｃ全体の大きさを抑えることができる。
なお、この第４の実施の形態にあっても、第１および第２のバッテリ装着部６０Ｃａ，６０Ｃｂに対して充電式バッテリ８０ａ，８０ｂを取り付けるためのスライド装着方向としては、図示されている方向とは逆方向の構成としてもよく、互いに同一となる方向あるいは互いに逆になる方向の、いずれの方向の組合せで設定されるものであってもよい。
【００２４】
［第５の実施の形態］
次に、第５の実施の形態のディスクグラインダ１０Ｄについて説明する。図１７の側面図では、第５の実施の形態のディスクグラインダ１０Ｄの外観全体を示している。図１８の平面図では、図１７に示すディスクグラインダ１０Ｄを上側から視ている。図１９の平面図では、図１７に示すディスクグラインダ１０Ｄを後側から視ている。図示するディスクグラインダ１０Ｄは、適宜の先端工具Ｂを取り付けて、切断や剥離等の加工作業を行う工具である。このディスクグラインダ１０Ｄは、上記したディスクグラインダ１０，１０Ａ，１０Ｂ，１０Ｃとは相違し、現場で作業者が片手で使用する、いわゆるワンハンドルタイプのディスクグラインダである。このため、上記したディスクグラインダ１０，１０Ａ，１０Ｂ，１０Ｃとは異なり、片手でハンドル部１３Ｄを握って加工作業が行えるようになっている。このディスクグラインダ１０Ｄは、上記した実施の形態のグリップハウジング１２の構成を廃止して、モータハウジング３１Ｄの外周部分をハンドル部１３Ｄとして構成している。このハンドル部１３Ｄはストレート形をなしている。なお、これら第５の形態のディスクグラインダ１０Ｄにおいて上記した第１の実施の形態のディスクグラインダ１０と略同様の機能を奏する構成については、数字番号の末尾に‘Ｄ’を付した、上記した第１の実施の形態にて付した数字番号と同一の数字番号を図面に付している。すなわち、図示符号２０Ｄは操作スイッチであり、図示符号２２Ｄは操作ボタンであり、図示符号５２Ｄはヘッドハウジングであり、図示符号Ｂは先端工具である。
ところで、この第５の実施の形態のバッテリ装着部６０Ｄが配設される箇所は、このディスクグラインダ１０Ｄの後端に設定されている。具体的には、第１バッテリ装着部６０Ｄａと第２バッテリ装着部６０Ｄｂとは、後端延在部位６７Ｄに対して左右にずらされた並列配置関係で設けられている。これら第１および第２のバッテリ装着部６０Ｄａ，６０Ｄｂに対しての充電式バッテリ８０ａ，８０ｂのスライド装着方向は、両方とも上から下に向けてスライドさせることにより取り付けられるように設定されている。つまり、これら第１および第２のバッテリ装着部６０Ｄａ，６０Ｄｂに対しての充電式バッテリ８０ａ，８０ｂのスライド装着は、互いに同一の平行となる方向に設定されている。なお、これら第１および第２のバッテリ装着部６０Ｄａ，６０Ｄｂは、モータ軸３３Ｄの延在方向を中心にした軸線Ｘ１に対して、互いに左右対称位置にそれぞれ１つずつ配置されるように設けられている。なお、図示符号１８Ｄは、電力コントローラである。なお、このディスクグラインダ１０Ｄにあっても、図７の概念回路図より上記した内容に基づいて充電式バッテリ８０ａ，８０ｂから供給される電力が、第１および第２のバッテリ装着部６０Ｄａ，６０Ｄｂを介して電圧が『１８Ｖ＋１８Ｖ＝３６Ｖ』となるように設定されている。
【００２５】
この第５の実施の形態のディスクグラインダ１０Ｄによれば、次のような作用効果を奏することができる。すなわち、このディスクグラインダ１０Ｄによっても、バッテリ装着部６０Ｄ（６０Ｄａ，６０Ｄｂ）は２つ設けられているので、充電式バッテリ８０（８０ａ，８０ｂ）を２つ装着できるようになる。これによって、ディスクグラインダ１０Ｄとして利用するにあたって電圧を高く設定したり供給容量を大きく設定したりする要請に応じることができる。つまり、汎用される電圧が１８Ｖとなる充電式バッテリ８０を２つ使って、供給される電力の電圧を３６Ｖとすることができる。したがって、広く汎用される充電式バッテリ８０を用いながらも、高電圧が求められるハイパワー型のディスクグラインダ１０Ｄとして機能させることができる。さらに、この第５の実施の形態のディスクグラインダ１０Ｄによれば、２つのバッテリ装着部６０Ｄａ，６０Ｄｂは、モータ軸３３Ｄの軸線Ｘ１で対称となる位置にそれぞれ１つずつ配置されるので、充電式バッテリ８０ａ，８０ｂが装着されることによって増加する重量をバランスさせることができる。これによって、手で持って加工作業を行うにあたっての、ディスクグラインダ１０Ｄとしての取回しの良さが損なわれるのを抑えることができる。また、この第５の実施の形態のディスクグラインダ１０Ｄによっても、また、並べられた充電式バッテリ８０ａ，８０ｂの並び方向の長さは、この充電式バッテリ８０の幅方向の長さＷを２つ合わせた長さとすることができる。つまり、この充電式バッテリ８０の外形寸法の中でも短手方向となる長さを合わせることとなる。これによって、２つ並列された充電式バッテリ８０ａ，８０ｂの嵩張りも抑えることができて、ディスクグラインダ１０Ｄを手で持って加工作業を行うにあたって取回しの良さが損なわれるのを抑えることができる。
なお、この第５の実施の形態にあっても、第１および第２のバッテリ装着部６０Ｄａ，６０Ｄｂに対して充電式バッテリ８０ａ，８０ｂを取り付けるためのスライド装着方向としては、図示されている方向とは逆方向の構成としてもよく、互いに同一となる方向あるいは互いに逆になる方向の、いずれの方向の組合せで設定されるものであってもよい。
【００２６】
なお、本発明に係る電動工具としては、上記したディスクグラインダの例に限定されるものではなく、手で持って加工作業を行うための手持ち式の電動工具であれば、上記した実施の形態の構成についてを適宜応用するようにして組み込まれるものであってよい。つまり、手持ち式の電動工具としては、例えばディスクサンダ、ポリッシャ、マルチツール等の研削、研磨、磨き、つや出し等の各種作業を行う各種の手持ち式の電動工具を、上記した実施の形態の例として応用することができる。
また、上記した実施の形態における充電式バッテリ８０ａ，８０ｂは、電圧１８Ｖに設定されるものとなっていた。しかしながら、本発明に係る充電式バッテリの電圧としては、これに限定されることなく、１０Ｖや１４Ｖ等の適宜の電圧にて設計される充電式バッテリ（二次電池）を利用することができる。また、これら２つの充電式バッテリ８０ａ,８０ｂから供給される電力は、電圧を上げることのみならず、供給容量（全ての充電量）を高めるものであってもよい。つまり、充電式バッテリ８０から供給される電力の電圧を上げるための構成に限定されることなく、充電式バッテリ８０から供給される電力の供給容量を上げるための適宜の構成としてもよい。また、充電式バッテリの電圧としては、この例に限定されることなく、１０Ｖや１４Ｖ等の適宜の電圧にて設定されるものであってもよい。
また、上記した実施の形態にあっては、モータ軸３３に固定されたピニオンギヤ４５により、べベルギヤ５４が回転するように構成されるものとなっていた。この際、ピニオンギヤ４５の回転軸となすモータ軸３３と、ベベルギヤ５４の回転軸をなす出力軸５５とは、固定された９０度角度をに設定されるものであった。しかしながら、本発明に係る電動工具にあっては、これに限定されるものではなく、モータ軸３３から複数の軸を介して出力軸５５を駆動するように構成してもよい。さらに言えば、モータ軸３３と出力軸５５との間に適宜の揺動機構が設けて出力軸５５を駆動するように構成してもよい。すなわち、本発明に係る電動工具にあっては、モータ軸３３が出力軸５５を何らかの形で駆動するように構成されていればよいものであり、適宜の態様を採用することができる。つまり、この駆動には、回転・揺動・往復動・その他の駆動が含まれることとなる。
【符号の説明】
【００２７】
１０，１０Ａ，１０Ｂ，１０Ｃ，１０Ｄ  ディスクグラインダ（電動工具）
１１  ハウジング
１２  グリップハウジング
１３  ハンドル部
１４  後側連接部
１５  前側連接部
１６  下側連接部
１７  駆動コントローラ
１７１  シャント抵抗
１７２  ＦＥＴ回路
１８  電力コントローラ
１９  ヘッド側グリップ
２０  操作スイッチ
２１  スイッチ本体
２２  操作ボタン部
２３  変速ダイアル
３１  モータハウジング
３２  電動モータ
３３  モータ軸
３４  ステータ
３５  ロータ
３６  コンミテータ
３８  冷却ファン
４１  後側ベアリング
４２  前側ベアリング
４５  ピニオンギヤ
４７  ギヤハウジングカバー
５１  ギヤヘッド
５２  ヘッドハウジング
５２１  取付用雌螺子部
５３  ギヤ機構
５４  ベベルギヤ
５５  出力軸
５６  取付部（先端工具保持部）
５７  上側ベアリング
５８  下側ベアリング
５９  ギヤストッパ
６０（６０ａ，６０ｂ）  バッテリ装着部
６００  バッテリ端子接続部
６１，６２  スライドガイド受部
６３  正極側端子
６４  負極側端子
６５  信号側端子
６６  雌部（凹み）
６７Ｂ，６７Ｃ  介在連接部位
６７Ｄ  後端延在部位
６９  螺子ボス
８０（８０ａ，８０ｂ）  充電式バッテリ
８１，８２  スライドガイド部
８３  正極側端子
８４  負極側端子
８５  信号側端子
８７  雄フック
８８  押しボタン
Ｂ  先端工具
Ｌ  長手方向の長さ
Ｗ  幅方向の長さ
Ｈ  高さ方向の長さ
Ｘ１  モータ軸の回転軸線
Ｘ２  出力軸の回転軸線
Ｘ３  第１バッテリ装着部に充電式バッテリがスライド装着される軸線
Ｘ４  第２バッテリ装着部に充電式バッテリがスライド装着される軸線
【図１】
2014148020.tif 000003
【図２】
2014148020.tif 000004
【図３】
2014148020.tif 000005
【図４】
2014148020.tif 000006
【図５】
2014148020.tif 000007
【図６】
2014148020.tif 000008
【図７】
2014148020.tif 000009
【図８】
2014148020.tif 000010
【図９】
2014148020.tif 000011
【図１０】
2014148020.tif 000012
【図１１】
2014148020.tif 000013
【図１２】
2014148020.tif 000014
【図１３】
2014148020.tif 000015
【図１４】
2014148020.tif 000016
【図１５】
2014148020.tif 000017
【図１６】
2014148020.tif 000018
【図１７】
2014148020.tif 000019
【図１８】
2014148020.tif 000020
【図１９】
2014148020.tif 000021